(57)【要約】参照信号リソースの送信位置の指示方法、装置及び通信システムを提供する。該方法は、ネットワーク装置が端末装置に第１構成情報を送信するステップを含み、該第１構成情報は、１つ又は複数の時間間隔内で参照信号リソースセットに構成された参照信号リソースを送信することを指示し、該参照信号リソースは、該１つ又は複数の時間間隔に割り当てられる。これによって、１回の測定に必要な非周期的参照信号リソースの数が多い場合、１つの参照信号リソースセットにおける参照信号リソースを複数の時間間隔内で送信するように指示することができる。また、端末装置は、ネットワーク装置の構成に基づいて適切な参照信号リソースを選択し、ネットワーク装置に参照信号リソースインジケータ（ＣＲＩ）を報告することができる。【選択図】図２
2021510951.tif 000002
【特許請求の範囲】
【請求項１】
ネットワーク装置に構成された、参照信号リソースの送信位置の指示装置であって、
端末装置に第１構成情報を送信する第１送信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、第１送信部、を含む、装置。
【請求項２】
前記参照信号リソースは、非周期的チャネル状態情報参照信号リソースであり、
前記時間間隔は、スロット、フレーム、サブフレームのうちの少なくとも１つを含む、請求項１に記載の装置。
【請求項３】
前記第１構成情報は、Ｎビットのビットマップであり、
前記ビットマップのＮビットは、前記参照信号リソースセットの送信をトリガするためのシグナリングが所在する時間間隔から始まる連続的なＮ個の時間間隔を示し、
前記ビットマップで所定値に設定されたビットは、前記所定値に設定されたビットにより示される時間間隔内で前記参照信号リソースセットに構成された少なくとも１つの参照信号リソースを送信することを表す、請求項１に記載の装置。
【請求項４】
前記所定値に設定されたビットにより示される時間間隔内で送信される、前記参照信号リソースセットに構成された参照信号リソースの数は、
（外１）
2021510951.tif 000043
、又は
（外２）
2021510951.tif 000044
及び／若しくは
（外３）
2021510951.tif 000045
であり、
Ｋは、前記参照信号リソースセットに構成された前記参照信号リソースの数であり、Ｎｏｎｅは、前記ビットマップで前記所定値に設定されたビットの数である、請求項３に記載の装置。
【請求項５】
前記端末装置に第２構成情報を送信する第２送信部であって、前記第２構成情報は、ネットワーク装置により構成された前記参照信号リソースセットを指示し、前記第２構成情報は、オフセットをトリガする構成パラメータを含む、第２送信部、をさらに含み、
前記第１構成情報は、前記オフセットをトリガする構成パラメータに対する構成である、請求項３に記載の装置。
【請求項６】
参照信号リソースインジケータ（ＣＲＩ）の報告装置であって、
ネットワーク装置により送信された第１構成情報を受信する受信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、受信部と、
前記第１構成情報に基づいて前記参照信号リソースを選択し、前記ネットワーク装置にＣＲＩを報告する報告部と、を含む、装置。
【請求項７】
前記ネットワーク装置が前記端末装置のためにオプション構成の第１パラメータを構成していない場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外４）
2021510951.tif 000046
ビットであり、
Ｋは、前記参照信号リソースセットに構成された参照信号リソースの数である、請求項６に記載の装置。
【請求項８】
前記ネットワーク装置が前記端末装置のためにオプション構成又は必須構成の第１パラメータを構成し、前記第１パラメータが有効状態（ＯＮ）に構成され、且つ前記参照信号リソースを送信するための時間間隔の数が１よりも大きい場合、前記報告部は、前記参照信号リソースを送信するための異なる前記時間間隔から１つ又は複数の時間間隔の参照信号リソースを選択して参照信号リソースインジケータ（ＣＲＩ）を報告し、
１つの前記参照信号リソースインジケータ（ＣＲＩ）の長さは
（外５）
2021510951.tif 000047
ビットであり、
Ｎｏｎｅは、前記時間間隔の数である、請求項６に記載の装置。
【請求項９】
前記ネットワーク装置が前記端末装置のためにオプション構成の第１パラメータを構成し、前記第１パラメータが無効状態（ＯＦＦ）に構成され、且つ前記参照信号リソースを送信するための前記時間間隔の数が１よりも大きい場合、前記報告部は、１つの前記時間間隔内で送信された前記参照信号リソースから１つ又は複数の参照信号リソースを選択して参照信号リソースインジケータ（ＣＲＩ）を報告し、
１つの前記参照信号リソースインジケータ（ＣＲＩ）の長さは
（外６）
2021510951.tif 000048
ビットであり、
Ｋは、前記参照信号リソースセットに構成された参照信号リソースの数であり、Ｎｏｎｅは、前記時間間隔の数である、請求項６に記載の装置。
【請求項１０】
前記ネットワーク装置が前記端末装置のために必須構成の第１パラメータを構成し、前記第１パラメータが無効状態（ＯＦＦ）に構成されている場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外７）
2021510951.tif 000049
ビットであり、
Ｋは、前記参照信号リソースセットに構成された参照信号リソースの数である、請求項６に記載の装置。
【請求項１１】
前記ネットワーク装置が前記端末装置のためにオプション構成又は必須構成の第１パラメータを構成し、前記第１パラメータが有効状態（ＯＮ）に構成され、且つ前記参照信号リソースを送信するための前記時間間隔の数が１に等しい場合、前記報告部は、前記参照信号リソースインジケータ（ＣＲＩ）を報告しない、請求項６に記載の装置。
【請求項１２】
前記ネットワーク装置が前記端末装置のためにオプション構成又は必須構成の第１パラメータを構成し、前記第１パラメータが無効状態（ＯＦＦ）であり、且つ前記参照信号リソースを送信するための前記時間間隔の数が１に等しい場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外８）
2021510951.tif 000050
ビットであり、
Ｋは、前記参照信号リソースセットに構成された参照信号リソースの数である、請求項６に記載の装置。
【請求項１３】
前記第１パラメータは、上位層構成パラメータｒｅｐｅｔｉｔｉｏｎである、請求項７乃至１２の何れかに記載の装置。
【請求項１４】
ネットワーク装置が前記端末装置のために第２パラメータを構成し、前記第２パラメータが有効状態（ＯＮ）であり、且つ前記ネットワーク装置が複数のダウンリンク空間領域送信フィルタグループを用いて前記参照信号リソースを送信することが前記第２パラメータにより示され、前記第２パラメータが前記参照信号リソースセットに関連付けられている（ｌｉｎｋ）場合、前記報告部は、前記第１構成情報に基づいて複数の前記参照信号リソースインジケータ（ＣＲＩ）を報告する、請求項６に記載の装置。
【請求項１５】
ネットワーク装置が前記端末装置のために第１パラメータを構成し、且つ前記第１パラメータが有効状態（ＯＮ）に構成されている場合、前記報告部は、前記参照信号リソースインジケータ（ＣＲＩ）を報告しない、請求項１４に記載の装置。
【請求項１６】
ネットワーク装置が前記端末装置のために第１パラメータを構成し、且つ前記第１パラメータが無効状態（ＯＦＦ）に構成されている場合、前記端末装置は、１つの時間間隔内で、前記参照信号リソースを送信するための１つのダウンリンク空間領域送信フィルタグループのダウンリンク空間領域送信フィルタが異なり、前記参照信号リソースを送信するための他のダウンリンク空間領域送信フィルタグループのダウンリンク空間領域送信フィルタが何れも同一であり、異なる時間間隔の間で、前記１つのダウンリンク空間領域送信フィルタグループのダウンリンク空間領域送信フィルタが何れも同一であり、前記他のダウンリンク空間領域送信フィルタグループのダウンリンク空間領域送信フィルタが異なると判断し、前記報告部は、前記１つのダウンリンク空間領域送信フィルタグループ及び前記他のダウンリンク空間領域送信フィルタグループについて１つ又は複数の前記参照信号リソースインジケータ（ＣＲＩ）をそれぞれ報告し、
少なくとも１つの前記参照信号リソースインジケータ（ＣＲＩ）の長さは
（外９）
2021510951.tif 000051
ビットであり、
少なくとも１つの前記参照信号リソースインジケータ（ＣＲＩ）の長さは
（外１０）
2021510951.tif 000052
ビットであり、
Ｋは、前記参照信号リソースセットに構成された参照信号リソースの数であり、Ｎｏｎｅは、前記時間間隔の数である、請求項１４に記載の装置。
【請求項１７】
前記第２パラメータは、他の参照信号リソースセットに同時に関連付けられ（ｌｉｎｋ）、
前記ネットワーク装置は、異なるダウンリンク空間領域送信フィルタグループを用いて、異なる前記参照信号リソースセットに構成された参照信号リソースを送信し、
前記第２パラメータに関連付けられた全ての参照信号リソースセットのために前記ネットワーク装置により構成された第１パラメータが何れも有効状態（ＯＮ）に構成されている場合、前記報告部は、前記参照信号リソースインジケータ（ＣＲＩ）を報告しない、請求項１４に記載の装置。
【請求項１８】
前記第２パラメータは、他の参照信号リソースセットに同時に関連付けられ（ｌｉｎｋ）、
前記第２パラメータに関連付けられた全ての参照信号リソースセットのためにネットワーク装置により構成された第１パラメータのうち、少なくとも１つの参照信号リソースセットの第１パラメータが有効状態（ＯＮ）に構成され、少なくとも１つの参照信号リソースセットの第１パラメータが無効状態（ＯＦＦ）に構成されている場合、前記報告部は、各参照信号リソースセットについて前記参照信号リソースインジケータ（ＣＲＩ）をそれぞれ報告する、請求項１４に記載の装置。
【請求項１９】
第１パラメータが有効状態（ＯＮ）に構成されている参照信号リソースセットについて、前記報告部は、前記有効状態（ＯＮ）に構成されている参照信号リソースセットにおける異なる時間間隔内で送信された１つ又は複数の参照信号リソースを選択して前記参照信号リソースインジケータ（ＣＲＩ）を報告し、１つの前記参照信号リソースインジケータ（ＣＲＩ）の長さは
（外１１）
2021510951.tif 000053
ビットであり、Ｎｏｎｅは、前記時間間隔の数であり、
第１パラメータが無効状態（ＯＦＦ）に構成されている参照信号リソースセットについて、前記報告部は、前記無効状態（ＯＦＦ）に構成されている参照信号リソースセットにおける同一の時間間隔内で送信された１つ又は複数の参照信号リソースを選択して前記参照信号リソースインジケータ（ＣＲＩ）を報告し、１つの前記参照信号リソースインジケータ（ＣＲＩ）の長さは
（外１２）
2021510951.tif 000054
ビットであり、Ｋは、前記参照信号リソースセットに構成された参照信号リソースの数であり、Ｎｏｎｅは、前記時間間隔の数である、請求項１８に記載の装置。
【請求項２０】
前記第２パラメータは、上位層構成パラメータｇｒｏｕｐＢａｓｅｄＢｅａｍＲｅｐｏｒｔｉｎｇである、請求項１４乃至１９の何れかに記載の装置。
【発明の詳細な説明】
【技術分野】
【０００１】
本発明の実施例は、通信技術分野に関し、特に参照信号リソースの送信位置の指示方法、装置及び通信システムに関する。
【背景技術】
【０００２】
新しい無線（ＮＲ：Ｎｅｗ  Ｒａｄｉｏ）の標準では、非周期的チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースが非周期的チャネル状態情報（ＣＳＩ）の報告のために用いられる場合、ネットワーク装置は、上位層構成パラメータＡｐｅｒｉｏｄｉｃＮＺＰ−ＣＳＩ−ＲＳ−ＴｒｉｇｇｅｒｉｎｇＯｆｆｓｅｔを介して各ＣＳＩ−ＲＳリソースセットのために１つの時間オフセットＸを構成する。この時間オフセットＸは、非周期的ＣＳＩ−ＲＳリソースセットのトリガシグナリングの送信時点から、該非周期的ＣＳＩ−ＲＳリソースセットにおけるＣＳＩ−ＲＳリソースを用いてＣＳＩ−ＲＳを送信する時点までの時間間隔として定義される。該時間間隔は、スロット（ｓｌｏｔ）を単位としてもよい。
【０００３】
ＮＲの標準によりサポートされる１つのＣＳＩ−ＲＳセットに含まれるＣＳＩ−ＲＳリソースの数は最大で６４個である。また、ＮＲの標準では、該トリガシグナリングにおける各トリガ状態が同一のＣＳＩリソース構成（ＣＳＩ−ＲｅｓｏｕｒｃｅＣｏｎｆｉｇ）における１つのリソースセットのみをトリガできると規定している。
【０００４】
また、リソースセットの構成はパラメータｒｅｐｅｔｉｔｉｏｎをさらに含み、該パラメータが「ＯＮ」に構成されている場合、端末装置は、該リソースセットにおけるリソースを送信する際にネットワーク装置側により用いられる送信ビームが同一であると判断し、該パラメータが「ＯＦＦ」に構成されている場合、端末装置は、該リソースセットにおけるリソースを送信する際にネットワーク装置側により用いられる送信ビームが同一であると判断しない。該構成方式は、ビーム管理のプロセス２及びプロセス３、即ちネットワーク装置側及び端末装置側のビームリファイニング（ｂｅａｍ  ｒｅｆｉｎｉｎｇ）を実現することができる。
【０００５】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００６】
しかし、本発明の発明者の発見によると、非周期的ＣＳＩ−ＲＳリソースを用いてビーム走査を行う際に、非周期的リソースセットに含まれるＣＳＩ−ＲＳリソースの数が多い場合、１つのスロットに含まれる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）符号において送信を完了させることができない。或いは、ＣＳＩ−ＲＳリソースの数は端末装置が１つのスロットでビームを切り替えることができる回数の上限を超えており、同一のトリガ状態において同一のキャリア周波数についてトリガされた非周期的ＣＳＩ−ＲＳリソースが複数のスロットを占有することをサポートできるか否かについては検討する必要がある。
【０００７】
また、このメカニズムがサポートされている場合、該メカニズムは、同様に、ビーム管理のプロセス１を実現することができ、即ちネットワーク装置側及び端末装置側のビームを決定することができる。この場合、異なる応用シナリオについて、端末装置のフィードバック内容は異なり、異なる応用シナリオを区別して端末装置に相応内容を報告させる方法の問題を解決する必要がある。
【０００８】
本発明の実施例は、端末装置の能力が制限されている場合、ビーム管理及び端末装置のＣＲＩ報告を行う、参照信号リソースの送信位置の指示方法、装置及び通信システムを提供する。
【課題を解決するための手段】
【０００９】
本発明の実施例の第１態様では、参照信号リソースの送信位置の指示方法であって、ネットワーク装置が端末装置に第１構成情報を送信するステップであって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、ステップ、を含む、方法を提供する。
【００１０】
本発明の実施例の第２態様では、ネットワーク装置に構成された、参照信号リソースの送信位置の指示装置であって、端末装置に第１構成情報を送信する第１送信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、第１送信部、を含む、装置を提供する。
【００１１】
本発明の実施例の第３態様では、参照信号リソースインジケータ（ＣＲＩ）の報告方法であって、端末装置がネットワーク装置により送信された第１構成情報を受信するステップであって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、ステップと、前記端末装置が前記第１構成情報に基づいて前記参照信号リソースを選択し、前記ネットワーク装置にＣＲＩを報告するステップと、を含む、方法を提供する。
【００１２】
本発明の実施例の第４態様では、端末装置に構成された、参照信号リソースインジケータ（ＣＲＩ）の報告装置であって、ネットワーク装置により送信された第１構成情報を受信する受信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、受信部と、前記第１構成情報に基づいて前記参照信号リソースを選択し、前記ネットワーク装置にＣＲＩを報告する報告部と、を含む、装置を提供する。
【００１３】
本発明の実施例の第５態様では、ネットワーク装置と、端末装置と、を含む通信システムであって、前記ネットワーク装置は、上記の第２態様に記載の装置を含み、前記端末装置は、上記の第４態様に記載の装置を含む、通信システムを提供する。
【００１４】
本発明の実施例の有利な効果は以下の通りである。ネットワーク装置が端末装置に第１構成情報を送信し、該第１構成情報は、１つ又は複数の時間間隔内で参照信号リソースセットに構成された参照信号リソースを送信することを指示し、該参照信号リソースは、該１つ又は複数の時間間隔に割り当てられる。これによって、１回の測定に必要な非周期的参照信号リソースの数が多い場合、１つの参照信号リソースセットにおける参照信号リソースを複数の時間間隔内で送信するように指示することができる。また、端末装置は、ネットワーク装置の構成に基づいて適切な参照信号リソースを選択し、ネットワーク装置に参照信号リソースインジケータ（ＣＲＩ）を報告することができる。
【００１５】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１６】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１７】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１８】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例の通信システムの概略図である。
【図２】本発明の実施例１の参照信号リソースの送信位置の指示方法の概略図である。
【図３】本発明の実施例１の非周期的ＣＳＩ−ＲＳリソースセットの１つの例を示す図である。
【図４】本発明の実施例２のＣＲＩの報告方法の概略図である。
【図５】本発明の実施例２の非周期的ＣＳＩ−ＲＳリソースのもう１つの例を示す図である。
【図６】本発明の実施例２の非周期的ＣＳＩ−ＲＳリソースのもう１つの例を示す図である。
【図７】本発明の実施例２の非周期的ＣＳＩ−ＲＳリソースのさらにもう１つの例を示す図である。
【図８】本発明の実施例２の非周期的ＣＳＩ−ＲＳリソースのもう１つの例を示す図である。
【図９】本発明の実施例３の参照信号リソースの送信位置の指示装置の概略図である。
【図１０】本発明の実施例４のＣＲＩの報告装置の概略図である。
【図１１】本発明の実施例５のネットワーク装置の概略図である。
【図１２】本発明の実施例５の端末装置の概略図である。
【発明を実施するための形態】
【００１９】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２０】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２１】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２２】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２３】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２４】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２５】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２６】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２７】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２８】
例えば、モノのインターネット（ＩｏＴ：Ｉｎｔｅｒｎｅｔ  ｏｆ  Ｔｈｉｎｇｓ）などのシナリオでは、端末装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２９】
また、用語「ネットワーク側」又は「ネットワーク装置側」とは、ネットワークの側を意味し、基地局であってもよいし、上記の１つ又は複数のネットワーク装置を含んでもよい。用語「ユーザ側」又は「端末装置側」とは、ユーザ又は端末の側を意味し、ＵＥであってもよいし、上記の１つ又は複数の端末装置を含んでもよい。
【００３０】
以下は、一例を参照しながら本発明の実施例のシナリオを説明するが、本発明はこれに限定されない。
【００３１】
図１本発明の実施例の通信システムの概略図であり、端末装置及びネットワーク装置の例を概略的に示している。図１に示すように、通信システム１００は、ネットワーク装置１０１及び端末装置１０２を含んでもよい。説明の便宜上、図１は、１つのみの端末装置及び１つのみのネットワーク装置を一例にして説明するが、本発明の実施例はこれに限定されない。
【００３２】
本発明の実施例では、ネットワーク装置１０１と端末装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでもよいが、これらに限定されない。
【００３３】
以下は、ＮＲシステムを一例にして本発明の実施例を説明する。なお、本発明はこれに限定されず、同様な問題のある任意のシステムに適用されてもよい。また、本発明の実施例は、非周期的ＣＳＩ−ＲＳを一例にして説明するが、本発明はこれに限定されず、例えば他の参照信号又は他のシナリオに適用されてもよい。
【００３４】
＜実施例１＞
本発明の実施例は参照信号リソースの送信位置の指示方法を提供する。
【００３５】
図２は、本発明の実施例の参照信号リソースの送信位置の指示方法の概略図であり、ネットワーク装置側の状況を示している。図２に示すように、参照信号リソースの送信位置の指示方法２００は以下のステップを含む。
【００３６】
ステップ２０１：ネットワーク装置は端末装置に第１構成情報を送信する。該第１構成情報は、１つ又は複数の時間間隔内で参照信号リソースセットに構成された参照信号リソースを送信することを指示し、ここで、該参照信号リソースは、前記１つ又は複数の時間間隔に割り当てられる（ａｌｌｏｃａｔｅ）。
【００３７】
本実施例では、参照信号リソースは、非周期的チャネル状態情報参照信号（ＣＳＩ−ＲＳ）リソースである。該時間間隔は、スロット、フレーム、サブフレーム、又は他の時間単位で構成された時間間隔であってもよい。言い換えれば、非周期的参照信号リソースセットの１回のトリガでは、該非周期的参照信号リソースセットに構成された非周期的ＣＳＩ−ＲＳリソースは、複数の時間間隔に跨ってもよく、即ち、複数の時間間隔内で送信されるように構成されてもよい。これによって、１回の測定に必要な非周期的参照信号リソースの数が多い場合、１つの参照信号リソースセットにおける参照信号リソースを複数の時間間隔内で送信するように指示することができる。
【００３８】
１つの態様では、該第１構成情報は、Ｎビットのビットマップであり、該ビットマップのＮビットは、該参照信号リソースセットの送信をトリガするためのシグナリング（トリガシグナリング）が所在する時間間隔から始まる連続的なＮ個の時間間隔を示す。ここで、該ビットマップで所定値に設定されたビットは、該所定値に設定されたビットにより示される時間間隔内で該参照信号リソースセットに構成された少なくとも１つの参照信号リソースを送信することを表す。
【００３９】
この態様では、所定値に設定されたビットは例えばビット「１」であるが、本実施例はこれに限定されず、該所定値に設定されたビットは例えば「０」又は他の所定値であってもよい。また、該所定値に設定されたビットにより示される時間間隔内で送信される参照信号リソースの数は、該参照信号リソースセットに構成された参照信号リソースの総数、及び該ビットマップで所定値に設定されたビットの数により決定される。例えば、該所定値に設定されたビットにより示される時間間隔内で送信される参照信号リソースの数は、
（外１）
2021510951.tif 000003
であってもよいし、
（外２）
2021510951.tif 000004
及び／若しくは
（外３）
2021510951.tif 000005
であってもよい。ここで、Ｋは、該参照信号リソースセットに構成された参照信号リソースの数であり、Ｎｏｎｅは、該ビットマップで所定値に設定されたビットの数である。
【００４０】
例えば、
（外４）
2021510951.tif 000006
が整数である場合、参照信号リソースを送信するための時間間隔内で送信された参照信号リソースの数は、同一であり、何れも
（外５）
2021510951.tif 000007
である。
【００４１】
また、例えば、
（外６）
2021510951.tif 000008
が整数ではない場合、参照信号リソースを送信するための最後の時間間隔を除く他の時間間隔で送信された参照信号リソースの数は
（外７）
2021510951.tif 000009
であり、参照信号リソースを送信するための最後の時間間隔で送信された参照信号リソースの数は
（外８）
2021510951.tif 000010
である。
【００４２】
この態様では、図２に示すように、参照信号リソースの送信位置の指示方法２００は以下のステップをさらに含んでもよい。
【００４３】
ステップ２０２：該ネットワーク装置は該端末装置に第２構成情報を送信する。該第２構成情報は、ネットワーク装置により構成された該参照信号リソースセットを指示し、該第２構成情報は、オフセットをトリガするための構成パラメータ（ＡｐｅｒｉｏｄｉｃＮＺＰ−ＣＳＩ−ＲＳ−ＴｒｉｇｇｅｒｉｎｇＯｆｆｓｅｔ）を含む。該第１構成情報は、該オフセットをトリガするための構成パラメータに対する構成である。
【００４４】
この態様では、ステップ２０１及びステップ２０２の実行順序に限定されない。
【００４５】
図３は、参照信号リソースセットに構成された参照信号リソースの送信が２つのスロットに跨ることの概略図である。図３の例では、参照信号リソースセットがＣＳＩ−ＲＳリソースセットｓであり、且つ該ＣＳＩ−ＲＳリソースセットｓにＫ＝８個の非周期的ＣＳＩ−ＲＳリソースが構成されていることを一例にして説明する。図３に示すように、トリガオフセットＸ＝２となり、ビットマップは「００１１００００」に構成され、所定値は「１」であり、即ちＮｏｎｅ＝２となり、ＣＳＩ−ＲＳセットの送信をトリガするためのＤＣＩシグナリングが送信されたスロットから起算する３番目のスロット及び４番目のスロットにおいて該ＣＳＩ−ＲＳリソースセットｓにおけるＣＳＩ−ＲＳリソースを送信することを表し、各スロットにおいて
（外９）
2021510951.tif 000011
個のＣＳＩ−ＲＳリソースを送信し、即ち、３番目のスロットで
（外１０）
2021510951.tif 000012
個のＣＳＩ−ＲＳリソースを送信し、４番目のスロットで
（外１１）
2021510951.tif 000013
個のＣＳＩ−ＲＳリソースを送信する。
【００４６】
この態様では、「時間間隔内で参照信号リソースを送信する」とは、ネットワーク装置が該時間間隔内で該参照信号リソースを用いてそれに関連する参照信号を送信することを意味する。同様な説明は同様な意味を有し、重複する説明を省略する。
【００４７】
本実施例では、第１構成情報がＮビットのビットマップであることを一例にして説明しているが、本実施例はこれに限定されず、該第１構成情報は他の形式の内容であってもよく、該第１構成情報を介して１つ又は複数の時間間隔を指示し、該１つ又は複数の時間間隔を用いて参照信号リソースセットに構成された参照信号リソースを送信することができればよい。
【００４８】
本実施例の方法によれば、ネットワーク装置が端末装置に第１構成情報を送信し、該第１構成情報は、１つ又は複数の時間間隔内で参照信号リソースセットに構成された参照信号リソースを送信することを指示し、該参照信号リソースは、該１つ又は複数の時間間隔に割り当てられる。これによって、１回の測定に必要な非周期的参照信号リソースの数が多い場合、１つの参照信号リソースセットにおける参照信号リソースを複数の時間間隔内で送信するように指示することができる。また、端末装置は、ネットワーク装置の構成に基づいて適切な参照信号リソースを選択し、ネットワーク装置に参照信号リソースインジケータ（ＣＲＩ）を報告することができる。
【００４９】
本発明の実施例は、トリガシグナリングによりトリガされた複数の非周期的参照信号リソースの伝送が複数の時間間隔に跨る（ｓｐａｎｎｉｎｇ）ことをサポートしている新しい非周期的リソース伝送メカニズムのために指示方法を提供し、該方法は、端末装置の受信能力が制限されている場合のビーム管理に役立つ。該方法は様々な応用シナリオに適用されてもよく、端末装置は、上位層の異なる構成パラメータを用いて異なる応用シナリオを判断し、フィードバックされるＣＲＩの長さを決定することができる。
【００５０】
＜実施例２＞
本発明の実施例は参照信号リソースインジケータ（ＣＲＩ）の報告方法を提供する。
【００５１】
図４は本発明の実施例の参照信号リソースインジケータ（ＣＲＩ）の報告方法の概略図であり、端末装置側の状況を示している。該方法は、実施例１の方法に対応する端末装置側の処理であり、実施例１と同様な内容についてその説明を省略する。図４に示すように、参照信号リソースインジケータ（ＣＲＩ）の報告方法４００は、以下のステップを含む。
【００５２】
ステップ４０１：端末装置はネットワーク装置により送信された第１構成情報を受信する。該第１構成情報は、１つ又は複数の時間間隔内で参照信号リソースセットに構成された参照信号リソースを送信することを指示し、ここで、該参照信号リソースは、該１つ又は複数の時間間隔に割り当てられる。
【００５３】
ステップ４０２：該端末装置は該第１構成情報に基づいて参照信号リソースを選択し、該ネットワーク装置に参照信号リソースインジケータ（ＣＲＩ）を報告する。
【００５４】
本実施例では、端末装置は、ネットワーク装置により送信された該第１構成情報に基づいて適切な該参照信号リソースを選択し、該ネットワーク装置にＣＲＩを報告することができる。
【００５５】
本実施例では、異なる応用シナリオに応じて、端末装置による参照信号リソースの選択方式は異なる。以下は、異なる応用シナリオについてそれぞれ説明する。
【００５６】
１つの応用シナリオでは、ネットワーク装置は、端末装置のために第１パラメータをさらに構成してもよく、該第１パラメータがオプション（ｏｐｔｉｏｎａｌ）構成である場合、ステップ４０２において、端末装置は、ネットワーク装置において該第１パラメータが構成されているか否か、又は該第１パラメータの構成状態（ＯＮ又はＯＦＦ）、及び該第１構成情報により指示された、参照信号リソースセットに構成された参照信号リソースを送信するための時間間隔に基づいて、ＣＲＩを報告するための参照信号リソースを選択してもよい。
【００５７】
例えば、ネットワーク装置が端末装置のために該第１パラメータを構成していない場合、端末装置は、ＣＲＩを報告する必要がある際に、該参照信号リソースセットに構成された参照信号リソースを測定することで、そのうちの１つ又は複数の参照信号リソースを選択してＣＲＩを報告する。１つのＣＲＩの長さは
（外１２）
2021510951.tif 000014
ビットである。この例では、該参照信号リソースを送信するための時間間隔、即ち該Ｎｏｎｅは、１よりも大きくてもよいし、１に等しくてもよい。
【００５８】
図３の例では、ネットワーク装置が端末装置のために該第１パラメータを構成していない場合、端末装置は、測定により参照信号リソース１〜８から任意の１つ又は複数の参照信号リソースを選択してＣＲＩを報告してもよく、１つのＣＲＩの長さは、
（外１３）
2021510951.tif 000015
ビットである。
【００５９】
また、例えば、ネットワーク装置が端末装置のために該第１パラメータを構成し、該第１パラメータが有効状態（ｅｎａｂｌｅｄ  ｓｔａｔｅ）（ＯＮ）に構成され、且つ該参照信号リソースを送信するための時間間隔の数Ｎｏｎｅ＞１となる場合、端末装置は、ネットワーク装置が１つの時間間隔内で各参照信号リソースを送信する際に用いられるダウンリンク空間領域送信フィルタ（送信ビーム）が何れも同一であり、異なる時間間隔内で参照信号リソースを送信する際に用いられるダウンリンク空間領域送信フィルタ（送信ビーム）が異なると判断し、端末装置は、ＣＲＩを報告する必要がある際に、参照信号リソースを送信するための異なる時間間隔から１つ又は複数の時間間隔の参照信号リソースを選択してＣＲＩを報告してもよい。１つのＣＲＩの長さは
（外１４）
2021510951.tif 000016
ビットである。
【００６０】
図５を一例にして説明する。図５の例では、非周期的ＣＳＩ−ＲＳリソースセットは８個のＣＳＩ−ＲＳリソースを含み、この８個のＣＳＩ−ＲＳリソースは、２つのスロット（第１スロット及び第２スロット）に分散されて送信され、即ちＮｏｎｅ＝２となる。ネットワーク装置が端末装置のために第１パラメータを構成し、且つ第１パラメータがＯＮに構成されている場合、第１スロットにおけるＣＳＩ−ＲＳリソースにより使用されるビーム（ビーム１と記載され）が同一であるため、端末装置は、第１スロットから任意の１つのＣＳＩ−ＲＳリソースを選択してＣＲＩを報告してもよい。同様に、第２スロットにおけるＣＳＩ−ＲＳリソースにより使用されるビーム（ビーム２と記載され）が同一であるため、端末装置は、第２スロットから任意の１つのＣＳＩ−ＲＳリソースを選択してＣＲＩを報告してもよい。同様に、端末装置は、第１スロット及び第２スロットから任意の１つのＣＳＩ−ＲＳリソースをそれぞれ選択してＣＲＩを報告してもよい。また、１つのＣＲＩの長さは、
（外１５）
2021510951.tif 000017
ビットである。
【００６１】
この例では、ネットワーク装置は異なるスロットにおいて異なる送信ビーム（空間領域送信フィルタ）をトレーニングし、端末装置は同一のスロットにおいて異なる受信ビーム（空間領域受信フィルタ）をトレーニングし、ＣＲＩは送信ビームについての選択であり、即ち、１つ又は複数のスロットにより使用される送信ビームを選択してネットワーク装置にＣＲＩを報告する。
【００６２】
また、例えば、ネットワーク装置が端末装置のために該第１パラメータを構成し、該第１パラメータが無効状態（ｄｉｓａｂｌｅｄ  ｓｔａｔｅ）（ＯＦＦ）に構成され、且つ該参照信号リソースを送信するための時間間隔の数Ｎｏｎｅ＞１となる場合、端末装置は、ネットワーク装置が１つの時間間隔内で参照信号リソースを送信する際に用いられるダウンリンク空間領域送信フィルタ（送信ビーム）が何れも同一であると判断せず、且つ、端末装置は、ネットワーク装置が異なる時間間隔内で用いられるダウンリンク空間領域送信フィルタ（送信ビーム）の順序が同一であると判断し、端末装置は、ＣＲＩを報告する必要がある際に、１つの前記時間間隔内で送信された参照信号リソースから１つ又は複数の参照信号リソースを選択してＣＲＩを報告してもよい。１つのＣＲＩの長さは
（外１６）
2021510951.tif 000018
ビットである。
【００６３】
図６を一例にして説明する。図６の例では、非周期的ＣＳＩ−ＲＳリソースセットは８個のＣＳＩ−ＲＳリソースを含み、この８個のＣＳＩ−ＲＳリソースは、２つのスロット（第１スロット及び第２スロット）に分散されて送信され、即ちＮｏｎｅ＝２となる。ネットワーク装置が端末装置のために第１パラメータを構成し、且つ第１パラメータがＯＦＦに構成されている場合、各スロットにおいて、ネットワーク装置がＣＳＩ−ＲＳリソースを送信するために用いられるビームが異なる（ビーム３〜６と記載され）が、異なるスロットにおいて、ネットワーク装置がＣＳＩ−ＲＳリソースを送信するために用いられるビームの順序が同一であり、即ち、ＣＳＩ−ＲＳリソース１及び５は何れもビーム３を用い、ＣＳＩ−ＲＳリソース２及び６は何れもビーム４を用い、ＣＳＩ−ＲＳリソース３及び７は何れもビーム５を用い、ＣＳＩ−ＲＳリソース４及び８は何れもビーム６を用いる。この場合、ＣＳＩ−ＲＳリソースを送信するための各スロットにおける各ＣＳＩ−ＲＳリソースにより使用されるビームが同一であるため、端末装置は、第１スロット又は第２スロットから任意の１つ又は複数のＣＳＩ−ＲＳリソースを選択してＣＲＩを報告してもよい。また、１つのＣＲＩの長さは、
（外１７）
2021510951.tif 000019
ビットである。
【００６４】
この例では、ネットワーク装置は同一のスロットにおいて異なる送信ビームをトレーニングし、端末装置は異なるスロットにおいて異なる受信ビーム（空間領域受信フィルタ）をトレーニングする。
【００６５】
この応用シナリオでは、該第１パラメータが必須（ｍａｎｄａｔｏｒｙ）構成である場合、ステップ４０２において、端末装置は、該第１パラメータの構成状態（ＯＮ又はＯＦＦ）、及び該第１構成情報により指示された、参照信号リソースセットに構成された参照信号リソースを送信するための時間間隔に基づいて、ＣＲＩを報告するための参照信号リソースを選択してもよい。
【００６６】
例えば、ネットワーク装置が端末装置のために該第１パラメータを構成し、該第１パラメータが有効状態（ＯＮ）に構成され、且つ該参照信号リソースを送信するための時間間隔の数Ｎｏｎｅ＞１となる場合、端末装置は、ネットワーク装置が１つの時間間隔内で各参照信号リソースを送信する際に用いられるダウンリンク空間領域送信フィルタ（送信ビーム）が何れも同一であり、異なる時間間隔内で参照信号リソースを送信する際に用いられるダウンリンク空間領域送信フィルタ（送信ビーム）が異なると判断し、端末装置は、ＣＲＩを報告する必要がある際に、参照信号リソースを送信するための異なる時間間隔から１つ又は複数の時間間隔の参照信号リソースを選択してＣＲＩを報告してもよい。１つのＣＲＩの長さは
（外１８）
2021510951.tif 000020
ビットである。この場合は、オプション構成のシナリオで第１パラメータがＯＮに構成され、且つＮｏｎｅ＞１となる場合と同様であり、具体的な例は上記の図５を参照してもよく、ここでその説明を省略する。
【００６７】
また、例えば、ネットワーク装置が端末装置のために第１パラメータを構成し、且つ該第１パラメータが無効状態（ＯＦＦ）に構成されている場合、端末装置は、ＣＲＩを報告する必要がある際に、参照信号リソースセットに構成された参照信号リソースから１つ又は複数の参照信号リソースを選択してＣＲＩを報告してもよい。１つのＣＲＩの長さは
（外１９）
2021510951.tif 000021
ビットである。この場合は、オプション構成のシナリオでネットワーク装置が端末装置のために該第１パラメータを構成していない場合と同様であり、具体的な例は上記の図３を参照してもよく、ここでその説明を省略する。
【００６８】
この応用シナリオでは、第１パラメータがオプション構成又は必須構成であることに関わらず、ネットワーク装置が端末装置のために第１パラメータを構成し、該第１パラメータが有効状態（ＯＮ）に構成され、且つ参照信号リソースを送信するための該時間間隔の数Ｎｏｎｅ＝１となる場合、端末装置は、ネットワーク装置が参照信号リソースセットに構成された参照信号リソースを送信する際に用いられるダウンリンク空間領域送信フィルタが何れも同一であり、該参照信号リソースセットに関連付けられている（ｌｉｎｋ）報告構成にＣＲＩが含まないと判断する。この場合、端末装置はＣＲＩを報告しない。
【００６９】
この応用シナリオでは、第１パラメータがオプション構成又は必須構成であることに関わらず、ネットワーク装置が端末装置のために第１パラメータを構成し、該第１パラメータが有効状態（ＯＦＦ）に構成され、且つ参照信号リソースを送信するための該時間間隔の数Ｎｏｎｅ＝１となる場合、端末装置は、ネットワーク装置が参照信号リソースセットに構成された参照信号リソースを送信する際に用いられるダウンリンク空間領域送信フィルタが何れも同一である判断しない。端末装置は、ＣＲＩを報告する必要がある際に、参照信号リソースセットに構成された参照信号リソースから１つ又は複数の参照信号リソースを選択してＣＲＩを報告してもよい。１つのＣＲＩの長さは
（外２０）
2021510951.tif 000022
ビットである。この場合は、オプション構成のシナリオでネットワーク装置が端末装置のために該第１パラメータを構成していない場合、及びオプション構成のシナリオでネットワーク装置が端末装置のために状態がＯＦＦの第１パラメータを構成している場合と同様であり、具体的な例は上記の図３を参照してもよく、ここでその説明を省略する。
【００７０】
この応用シナリオでは、該第１パラメータは、上位層構成パラメータｒｅｐｅｔｉｔｉｏｎであってもよいが、本実施例はこれに限定されず、第１パラメータは、ＣＳＩ−ＲＳリソースを送信するビームの状況を示すための他のパラメータであってもよい。
【００７１】
もう１つのシナリオでは、ネットワーク装置は、端末装置のために第２パラメータをさらに構成してもよい。該第２パラメータが有効状態（ＯＮ）に構成されている場合、ネットワーク装置が複数のダウンリンク空間領域送信フィルタグループを用いて参照信号リソースを同時に送信することを示し、ＣＲＩの報告は、グループベース（ｇｒｏｕｐ−ｂａｓｅｄ）ビーム（ダウンリンク空間領域送信フィルタ）報告であり、端末装置は、同一の時点に受信された複数のビームを報告する必要がある。
【００７２】
この応用シナリオでは、１つの例では、第２パラメータが１つの参照信号リソース構成における１つの参照信号リソースセットに関連付けられている（ｌｉｎｋ）場合、例えば第２パラメータが上記の参照信号リソースセットにのみ関連付けられている場合、端末装置は、ネットワーク装置により構成された第１パラメータの構成状態（ＯＮ又はＯＦＦ）、及び該第１構成情報により指示された、参照信号リソースセットに構成された参照信号リソースを送信するための時間間隔に基づいて、参照信号リソースを選択してＣＲＩを報告してもよい。
【００７３】
例えば、ネットワーク装置が端末装置のために第１パラメータを構成し、且つ第１パラメータが有効状態（ＯＮ）に構成されている場合、端末装置は、ネットワーク装置が参照信号リソースを送信する際に用いられる各ダウンリンク空間領域送信フィルタグループの同一のグループにおけるダウンリンク空間領域送信フィルタが何れも同一であり、該参照信号リソースセットに関連付けられている（ｌｉｎｋ）報告構成にＣＲＩが含まないと判断する。この場合、端末装置はＣＲＩを報告しない。
【００７４】
この例では、該プロセスは、グループベースのビーム管理プロセス３における端末装置側の受信ビームのトレーニングに用いられる。
【００７５】
また、例えば、ネットワーク装置が端末装置のために第１パラメータを構成し、且つ第１パラメータが無効状態（ＯＦＦ）に構成されている場合、端末装置は、ネットワーク装置が該参照信号リソースセットにおける参照信号リソースを送信するために用いられる各ダウンリンク空間領域送信フィルタグループ（送信ビーム）が何れも同一であると判断しない。例えば、端末装置は、１つの時間間隔内で、参照信号リソースを送信するための１つのダウンリンク空間領域送信フィルタグループ（１つのビームグループ）のダウンリンク空間領域送信フィルタ（ビーム）が異なり、参照信号リソースを送信するための他のダウンリンク空間領域送信フィルタグループ（他のビームグループ）のダウンリンク空間領域送信フィルタ（ビーム）が何れも同一であり、異なる時間間隔の間で、１つのダウンリンク空間領域送信フィルタグループ（１つのビームグループ）のダウンリンク空間領域送信フィルタ（ビーム）が何れも同一であり、他のダウンリンク空間領域送信フィルタグループ（他のビームグループ）のダウンリンク空間領域送信フィルタ（ビーム）が異なると判断する。この場合、端末装置は、ＣＲＩを報告する必要がある際に、該１つのダウンリンク空間領域送信フィルタグループ及び該他のダウンリンク空間領域送信フィルタグループについて１つ又は複数のＣＲＩをそれぞれ報告する。ここで、少なくとも１つのＣＲＩの長さは
（外２１）
2021510951.tif 000023
ビットであり、少なくとも１つのＣＲＩの長さは
（外２２）
2021510951.tif 000024
ビットである。
【００７６】
図７を一例にして説明する。図７の例では、非周期的ＣＳＩ−ＲＳリソースセット１は９個のＣＳＩ−ＲＳリソースを含み、即ちＫ＝９となり、この９個のＣＳＩ−ＲＳリソースは、３つのスロット（第１スロット、第２スロット及び第３スロット）に分散されて送信され、即ちＮｏｎｅ＝３となる。第１スロットでは、ビームグループ１における３つのビームが同一であり、ビームグループ２における３つのビームが異なる。第２スロットでは、ビームグループ１における３つのビームが同一であるが、第１スロットのビームグループ１における３つのビームと異なり、ビームグループ２における３つのビームが異なるが、第１スロットのビームグループ２における３つのビームとそれぞれ同一である。第３スロットでは、ビームグループ１における３つのビームが同一であるが、第１スロット及び第２スロットのビームグループ１における３つのビームと異なり、ビームグループ２における３つのビームが異なるが、第１スロット及び第２スロットのビームグループ２における３つのビームとそれぞれ同一である。この場合、端末装置は、各ビームグループについて１つ又は複数のＣＲＩを報告する。ここで、少なくとも１つのＣＲＩの長さは
（外２３）
2021510951.tif 000025
であり、少なくとも１つのＣＲＩの長さは
（外２４）
2021510951.tif 000026
である。
【００７７】
この例では、該プロセスは、グループベースのビーム管理プロセス２におけるネットワーク装置側の送信ビームのトレーニングに用いられる。ここで、１つのスロット内で１つのビームグループのビームトレーニングを行い、スロット間でもう１つのビームグループのビームトレーニングを行う。
【００７８】
この応用シナリオでは、もう１つの例では、該第２パラメータは、１つ又は複数の参照信号リソースセット構成における複数の参照信号リソースセットに関連付けられ（ｌｉｎｋ）、例えば、該第２パラメータは複数の該参照信号リソースセットに関連付けられ、即ち、該参照信号リソースセットが複数あり、何れも該第２パラメータに関連付けられる場合、該端末装置は、第２パラメータに関連付けられている全ての参照信号リソースセットのためにネットワーク装置により構成された第１パラメータの構成状態（ＯＮ又はＯＦＦ）、及び該第１構成情報により指示された、参照信号リソースセットに構成された参照信号リソースを送信するための時間間隔に基づいて、参照信号リソースを選択してＣＲＩを報告してもよい。
【００７９】
例えば、第２パラメータに関連付けられた全ての参照信号リソースセットのためにネットワーク装置により構成された第１パラメータが何れも有効状態（ＯＮ）に構成されている場合、端末装置は、ネットワーク装置が参照信号リソースを送信するために用いられる各ダウンリンク空間領域送信フィルタグループの同一のグループ内のダウンリンク空間領域送信フィルタが何れも同一であり、各参照信号リソースセットに関連付けられている（ｌｉｎｋ）報告構成にＣＲＩが含まないと判断する。この場合、端末装置は、ＣＲＩを報告しない。
【００８０】
この例では、該プロセスは、グループベースのビーム管理プロセス３における端末装置側の受信ビームのトレーニングに用いられる。
【００８１】
また、例えば、第２パラメータに関連付けられた全ての参照信号リソースセットのためにネットワーク装置により構成された第１パラメータのうち、少なくとも１つの参照信号リソースセットの第１パラメータが有効状態（ＯＮ）に構成され、少なくとも１つの参照信号リソースセットの第１パラメータが無効状態（ＯＦＦ）に構成されている場合、端末装置は、各参照信号リソースセットについてＣＲＩをそれぞれ報告する。例えば、端末装置は、該複数の参照信号リソースセットに対する測定を１つのフィードバック報告に形成してもよく、フィードバック報告の内容は、各参照信号リソースセットに対するＣＲＩフィードバックを含む。
【００８２】
この例では、第１パラメータが有効状態（ＯＮ）に構成されている参照信号リソースセットについて、端末装置は、該参照信号リソースセットにおける同一の時間間隔に位置する参照信号リソースにより用いられるダウンリンク空間領域送信フィルタ（ビーム）が何れも同一であり、異なる時間間隔に位置する参照信号リソースにより用いられるダウンリンク空間領域送信フィルタ（ビーム）が異なると判断する。この場合、端末装置により報告されるＣＲＩは時間間隔に対する選択であり、端末装置は、ＣＲＩを報告する必要がある際に、有効状態（ＯＮ）に構成されている参照信号リソースセットにおける異なる時間間隔内で送信された１つ又は複数の参照信号リソースを選択してＣＲＩを報告してもよい。１つのＣＲＩの長さは
（外２５）
2021510951.tif 000027
ビットである。
【００８３】
この例では、第１パラメータが無効状態（ＯＦＦ）に構成されている参照信号リソースセットについて、端末装置は、該参照信号リソースセットにおける同一の時間間隔に位置する参照信号リソースにより用いられるダウンリンク空間領域送信フィルタ（ビーム）が異なり、異なる時間間隔に位置する参照信号リソースにより用いられるダウンリンク空間領域送信フィルタ（ビーム）の順序が同一であると判断する。この場合、端末装置により報告されるＣＲＩは時間間隔内の参照信号リソースに対する選択であり、端末装置は、ＣＲＩを報告する必要がある際に、無効状態（ＯＦＦ）に構成されている参照信号リソースセットにおける同一の時間間隔内で送信された１つ又は複数の参照信号リソースを選択してＣＲＩを報告してもよい。１つのＣＲＩの長さは
（外２６）
2021510951.tif 000028
ビットである。
【００８４】
図８を一例にして説明する。図８の例では、第２パラメータに関連付けられている非周期的ＣＳＩ−ＲＳリソースセットが２つあり、即ちリソースセット１及びリソースセット２であり、リソースセット１はビームグループ１のために用いられ、リソースセット２はビームグループ２のために用いられる。リソースセット１及びリソースセット２はそれぞれ９個のＣＳＩ−ＲＳリソースを含み、即ちＫ＝９となり、この９個のＣＳＩ−ＲＳリソースは、３つのスロット（第１スロット、第２スロット及び第３スロット）に分散されて送信され、即ちＮｏｎｅ＝３となる。第１スロットでは、ビームグループ１における３つのビームが同一であり、ビームグループ２における３つのビームが異なる。第２スロットでは、ビームグループ１における３つのビームが同一であるが、第１スロットのビームグループ１における３つのビームと異なり、ビームグループ２における３つのビームが異なるが、第１スロットのビームグループ２における３つのビームとそれぞれ同一である。第３スロットでは、ビームグループ１における３つのビームが同一であるが、第１スロット及び第２スロットのビームグループ１における３つのビームと異なり、ビームグループ２における３つのビームが異なるが、第１スロット及び第２スロットのビームグループ２における３つのビームとそれぞれ同一である。この場合、第１パラメータがＯＮに構成されているリソースセット、例えばリソースセット１について、端末装置は、リソースセット１における異なるスロット内で送信された１つ又は複数の参照信号リソースを選択してＣＲＩを報告する。ここで、１つのＣＲＩの長さは
（外２７）
2021510951.tif 000029
である。第１パラメータがＯＦＦに構成されているリソースセット、例えばリソースセット２について、端末装置は、リソースセット２における同一のスロット内で送信された１つ又は複数の参照信号リソースを選択してＣＲＩを報告する。ここで、１つのＣＲＩの長さは
（外２８）
2021510951.tif 000030
である。
【００８５】
この例では、該プロセスは、グループベースのビーム管理プロセス２におけるネットワーク装置側の送信ビームのトレーニングに用いられる。ここで、１つのスロット内で１つのビームグループのビームトレーニングを行い、スロット間でもう１つのビームグループのビームトレーニングを行う。
【００８６】
この応用シナリオでは、該第２パラメータは、上位層構成パラメータｇｒｏｕｐＢａｓｅｄＢｅａｍＲｅｐｏｒｔｉｎｇであってもよいが、本実施例はこれに限定されず、第２パラメータは、上位層構成におけるグループベースのビーム報告を示すための他の構成パラメータであってもよい。
【００８７】
本発明の実施例の方法によれば、端末装置は、ネットワーク装置の構成に基づいて適切な参照信号リソースを選択し、ネットワーク装置に参照信号リソースインジケータ（ＣＲＩ）を報告することができる。また、端末装置は、上位層の異なる構成パラメータを用いて異なる応用シナリオを判断し、フィードバックされるＣＲＩの長さを決定することができる。
【００８８】
＜実施例３＞
本発明の実施例は、参照信号リソースの送信位置の指示装置を提供する。該装置は、例えばネットワーク装置であってもよいし、ネットワーク装置に構成された部材又は構成部であってもよい。該装置の課題解決の原理は実施例１と同様であるため、その具体的な実施は実施例１の方法の実施を参照してもよく、同様な内容ついて説明を省略する。
【００８９】
図９は本発明の実施例の参照信号リソースの送信位置の指示装置の概略図である。図９に示すように、参照信号リソースの送信位置の指示装置９００は、第１送信部９０１を含む。
【００９０】
第１送信部９０１は、端末装置に第１構成情報を送信する。該第１構成情報は、１つ又は複数の時間間隔内で参照信号リソースセットに構成された参照信号リソースを送信することを指示し、ここで、該参照信号リソースは、該１つ又は複数の時間間隔に割り当てられる。
【００９１】
本実施例では、該参照信号リソースは、非周期的チャネル状態情報参照信号リソースであり、該時間間隔は、スロット、フレーム、サブフレームのうちの少なくとも１つを含む。
【００９２】
１つの態様では、該第１構成情報は、Ｎビットのビットマップであり、該ビットマップのＮビットは、該参照信号リソースセットの送信をトリガするためのシグナリングが所在する時間間隔から始まる連続的なＮ個の時間間隔を示し、ここで、該ビットマップで所定値に設定されたビットは、該所定値に設定されたビットにより示される時間間隔内で該参照信号リソースセットに構成された少なくとも１つの参照信号リソースを送信することを表す。
【００９３】
この態様では、該所定値に設定されたビットにより示される時間間隔内で送信される、該参照信号リソースセットに構成された参照信号リソースの数は、
（外２９）
2021510951.tif 000031
、又は
（外３０）
2021510951.tif 000032
及び／若しくは
（外３１）
2021510951.tif 000033
であり、ここで、Ｋは、該参照信号リソースセットに構成された該参照信号リソースの数であり、Ｎｏｎｅは、該ビットマップで該所定値に設定されたビットの数である。
【００９４】
本実施例では、図９に示すように、参照信号リソースの送信位置の指示装置９００は、第２送信部９０２をさらに含んでもよい。
【００９５】
第２送信部９０２は、該端末装置に第２構成情報を送信する。該第２構成情報は、ネットワーク装置により構成された該参照信号リソースセットを指示し、該第２構成情報は、オフセットをトリガする構成パラメータを含む。該第１構成情報は、該オフセットをトリガする構成パラメータに対する構成である。
【００９６】
なお、以上は本発明に関連する各部材又はモジュールを説明しているが、本発明はこれに限定されない。参照信号リソースの送信位置の指示装置９００は他の部材又はモジュールをさらに含んでもよく、これらの部材又はモジュールの具体的な内容について、関連技術を参照してもよい。
【００９７】
また、説明の便宜上、図９又は図１０は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【００９８】
本実施例によれば、ネットワーク装置が端末装置に第１構成情報を送信し、該第１構成情報は、１つ又は複数の時間間隔内で参照信号リソースセットに構成された参照信号リソースを送信することを指示し、該参照信号リソースは、該１つ又は複数の時間間隔に割り当てられる。これによって、１回の測定に必要な非周期的参照信号リソースの数が多い場合、１つの参照信号リソースセットにおける参照信号リソースを複数の時間間隔内で送信するように指示することができる。
【００９９】
＜実施例４＞
本発明の実施例は、ＣＲＩの報告装置を提供する。該装置は、例えば端末装置であってもよいし、端末装置に構成された部材又は構成部であってもよい。該装置の課題解決の原理は実施例２と同様であるため、その具体的な実施は実施例２の方法の実施を参照してもよく、同様な内容ついて説明を省略する。
【０１００】
図１０は本発明の実施例のＣＲＩの報告装置の概略図である。図１０に示すように、ＣＲＩの報告装置は、受信部１００１及び報告部１００２を含む。
【０１０１】
受信部１００１は、ネットワーク装置により送信された第１構成情報を受信する。該第１構成情報は、１つ又は複数の時間間隔内で参照信号リソースセットに構成された参照信号リソースを送信することを指示し、ここで、該参照信号リソースは、該１つ又は複数の時間間隔に割り当てられる。
【０１０２】
報告部１００２は、該第１構成情報に基づいて該参照信号リソースを選択し、該ネットワーク装置にＣＲＩを報告する。
【０１０３】
１つの態様では、該ネットワーク装置が該端末装置のためにオプション構成の第１パラメータを構成していない場合、報告部１００２は、該参照信号リソースセットに構成された参照信号リソースから１つ又は複数の参照信号リソースを選択して参照信号リソースインジケータ（ＣＲＩ）を報告し、１つの該参照信号リソースインジケータ（ＣＲＩ）の長さは
（外３２）
2021510951.tif 000034
ビットであり、ここで、Ｋは、該参照信号リソースセットに構成された参照信号リソースの数である。
【０１０４】
１つの態様では、該ネットワーク装置が該端末装置のためにオプション構成又は必須構成の第１パラメータを構成し、該第１パラメータが有効状態（ＯＮ）に構成され、且つ該参照信号リソースを送信するための時間間隔の数が１よりも大きい場合、端末装置は、ネットワーク装置が１つの時間間隔内で各参照信号リソースを送信する際に用いられるダウンリンク空間領域送信フィルタが何れも同一であり、異なる時間間隔内で参照信号リソースを送信する際に用いられるダウンリンク空間領域送信フィルタが異なると判断する。この場合、報告部１００２は、該参照信号リソースを送信するための異なる該時間間隔から１つ又は複数の時間間隔の参照信号リソースを選択して参照信号リソースインジケータ（ＣＲＩ）を報告し、１つの該参照信号リソースインジケータ（ＣＲＩ）の長さは
（外３３）
2021510951.tif 000035
ビットであり、ここで、Ｎｏｎｅは、該時間間隔の数である。
【０１０５】
１つの態様では、該ネットワーク装置が該端末装置のためにオプション構成の第１パラメータを構成し、該第１パラメータが無効状態（ＯＦＦ）に構成され、且つ該参照信号リソースを送信するための該時間間隔の数が１よりも大きい場合、端末装置は、ネットワーク装置が１つの時間間隔内で参照信号リソースを送信する際に用いられるダウンリンク空間領域送信フィルタが何れも同一であると判断せず、端末装置は、ネットワーク装置が異なる時間間隔内で用いられるダウンリンク空間領域送信フィルタの順序が同一であると判断する。この場合、報告部１００２は、１つの該時間間隔内で送信された該参照信号リソースから１つ又は複数の参照信号リソースを選択して参照信号リソースインジケータ（ＣＲＩ）を報告し、１つの該参照信号リソースインジケータ（ＣＲＩ）の長さは
（外３４）
2021510951.tif 000036
ビットであり、ここで、Ｋは、該参照信号リソースセットに構成された参照信号リソースの数であり、Ｎｏｎｅは、該時間間隔の数である。
【０１０６】
１つの態様では、該ネットワーク装置が該端末装置のために必須構成の第１パラメータを構成し、該第１パラメータが無効状態（ＯＦＦ）に構成されている場合、報告部１００２は、該参照信号リソースセットに構成された参照信号リソースから１つ又は複数の参照信号リソースを選択して参照信号リソースインジケータ（ＣＲＩ）を報告し、１つの該参照信号リソースインジケータ（ＣＲＩ）の長さは
（外３５）
2021510951.tif 000037
ビットであり、ここで、Ｋは、該参照信号リソースセットに構成された参照信号リソースの数である。
【０１０７】
１つの態様では、該ネットワーク装置が該端末装置のためにオプション構成又は必須構成の第１パラメータを構成し、該第１パラメータが有効状態（ＯＮ）に構成され、且つ該参照信号リソースを送信するための該時間間隔の数が１に等しい場合、報告部１００２は、ネットワーク装置が該参照信号リソースセットに構成された参照信号リソースを送信する際に用いられるダウンリンク空間領域送信フィルタが何れも同一であると判断し、該端末装置は、該参照信号リソースインジケータ（ＣＲＩ）を報告しない。
【０１０８】
１つの態様では、該ネットワーク装置が該端末装置のためにオプション構成又は必須構成の第１パラメータを構成し、該第１パラメータが無効状態（ＯＦＦ）であり、且つ該参照信号リソースを送信するための前記時間間隔の数が１に等しい場合、端末装置は、ネットワーク装置が該参照信号リソースセットに構成された参照信号リソースを送信する際に用いられるダウンリンク空間領域送信フィルタが何れも同一であると判断しない。この場合、報告部１００２は、該参照信号リソースセットに構成された参照信号リソースから１つ又は複数の参照信号リソースを選択して参照信号リソースインジケータ（ＣＲＩ）を報告し、１つの該参照信号リソースインジケータ（ＣＲＩ）の長さは
（外３６）
2021510951.tif 000038
ビットであり、ここで、Ｋは、該参照信号リソースセットに構成された参照信号リソースの数である。
【０１０９】
１つの態様では、ネットワーク装置が該端末装置のために第２パラメータを構成し、該第２パラメータが有効状態（ＯＮ）であり、且つ該ネットワーク装置が複数のダウンリンク空間領域送信フィルタグループを用いて該参照信号リソースを送信することが該第２パラメータにより示され、該第２パラメータが該参照信号リソースセットに関連付けられている（ｌｉｎｋ）場合、報告部１００２は、該第１構成情報に基づいて複数の該参照信号リソースインジケータ（ＣＲＩ）を報告する。
【０１１０】
この態様では、ネットワーク装置が該端末装置のために第１パラメータを構成し、且つ該第１パラメータが有効状態（ＯＮ）に構成されている場合、端末装置は、ネットワーク装置が該参照信号リソースを送信する際に用いられる各ダウンリンク空間領域送信フィルタグループにおける同一のグループ内のダウンリンク空間領域送信フィルタが何れも同一であると判断する。この場合、報告部１００２は、該参照信号リソースインジケータ（ＣＲＩ）を報告しない。
【０１１１】
この態様では、ネットワーク装置が該端末装置のために第１パラメータを構成し、且つ該第１パラメータが無効状態（ＯＦＦ）に構成されている場合、該端末装置は、１つの時間間隔内で、該参照信号リソースを送信するための１つのダウンリンク空間領域送信フィルタグループのダウンリンク空間領域送信フィルタが異なり、該参照信号リソースを送信するための他のダウンリンク空間領域送信フィルタグループのダウンリンク空間領域送信フィルタが何れも同一であり、異なる時間間隔の間で、該１つのダウンリンク空間領域送信フィルタグループのダウンリンク空間領域送信フィルタが何れも同一であり、該他のダウンリンク空間領域送信フィルタグループのダウンリンク空間領域送信フィルタが異なると判断する。この場合、報告部１００２は、該１つのダウンリンク空間領域送信フィルタグループ及び該他のダウンリンク空間領域送信フィルタグループについて１つ又は複数の前記参照信号リソースインジケータ（ＣＲＩ）をそれぞれ報告する。ここで、少なくとも１つの該参照信号リソースインジケータ（ＣＲＩ）の長さは
（外３７）
2021510951.tif 000039
ビットであり、少なくとも１つの該参照信号リソースインジケータ（ＣＲＩ）の長さは
（外３８）
2021510951.tif 000040
ビットであり、ここで、Ｋは、該参照信号リソースセットに構成された参照信号リソースの数であり、Ｎｏｎｅは、該時間間隔の数である。
【０１１２】
この態様では、該第２パラメータは、他の参照信号リソースセットに同時に関連付けられ（ｌｉｎｋ）、該ネットワーク装置は、異なるダウンリンク空間領域送信フィルタグループを用いて、異なる該参照信号リソースセットに構成された参照信号リソースを送信する。該第２パラメータに関連付けられた全ての参照信号リソースセットのために該ネットワーク装置により構成された第１パラメータが何れも有効状態（ＯＮ）に構成されている場合、該端末装置は、ネットワーク装置が該参照信号リソースを送信する際に用いられる各ダウンリンク空間領域送信フィルタグループにおける同一のグループ内のダウンリンク空間領域送信フィルタが何れも同一であると判断する。この場合、報告部１００２は、該参照信号リソースインジケータ（ＣＲＩ）を報告しない。
【０１１３】
この態様では、該第２パラメータは、他の参照信号リソースセットに同時に関連付けられ（ｌｉｎｋ）、該第２パラメータに関連付けられた全ての参照信号リソースセットのためにネットワーク装置により構成された第１パラメータのうち、少なくとも１つの参照信号リソースセットの第１パラメータが有効状態（ＯＮ）に構成され、少なくとも１つの参照信号リソースセットの第１パラメータが無効状態（ＯＦＦ）に構成されている場合、報告部１００２は、各参照信号リソースセットについて該参照信号リソースインジケータ（ＣＲＩ）をそれぞれ報告する。
【０１１４】
第１パラメータが有効状態（ＯＮ）に構成されている参照信号リソースセットについて、該端末装置は、該参照信号リソースセットにおける同一の時間間隔に位置する参照信号リソースにより用いられるダウンリンク空間領域送信フィルタが何れも同一であり、異なる時間間隔に位置する参照信号リソースにより用いられるダウンリンク空間領域送信フィルタが異なると判断する。この場合、報告部１００２は、該有効状態（ＯＮ）に構成されている参照信号リソースセットにおける異なる時間間隔内で送信された１つ又は複数の参照信号リソースを選択して該参照信号リソースインジケータ（ＣＲＩ）をそれぞれ報告し、１つの該参照信号リソースインジケータ（ＣＲＩ）の長さは
（外３９）
2021510951.tif 000041
ビットであり、ここで、Ｎｏｎｅは、該時間間隔の数である。
【０１１５】
第１パラメータが無効状態（ＯＦＦ）に構成されている参照信号リソースセットについて、該端末装置は、該参照信号リソースセットにおける同一の時間間隔に位置する参照信号リソースにより用いられるダウンリンク空間領域送信フィルタが異なり、異なる時間間隔に位置する参照信号リソースにより用いられるダウンリンク空間領域送信フィルタの順序が同一であると判断する。この場合、該端末装置は、該無効状態（ＯＦＦ）に構成されている参照信号リソースセットにおける同一の時間間隔内で送信された１つ又は複数の参照信号リソースを選択して該参照信号リソースインジケータ（ＣＲＩ）をそれぞれ報告し、１つの該参照信号リソースインジケータ（ＣＲＩ）の長さは
（外４０）
2021510951.tif 000042
ビットであり、ここで、Ｋは、該参照信号リソースセットに構成された参照信号リソースの数であり、Ｎｏｎｅは、該時間間隔の数である。
【０１１６】
本実施例では、該第１パラメータは、上位層構成パラメータｒｅｐｅｔｉｔｉｏｎであってもよく、該第２パラメータは、上位層構成パラメータｇｒｏｕｐＢａｓｅｄＢｅａｍＲｅｐｏｒｔｉｎｇであってもよい。
【０１１７】
本発明の実施例の方法によれば、端末装置は、ネットワーク装置の構成に基づいて適切な参照信号リソースを選択し、ネットワーク装置に参照信号リソースインジケータ（ＣＲＩ）を報告することができる。また、端末装置は、上位層の異なる構成パラメータを用いて異なる応用シナリオを判断し、フィードバックされるＣＲＩの長さを決定することができる。
【０１１８】
＜実施例５＞
本発明の実施例は通信システムをさらに提供し、図１を参照してもよく、実施例１乃至４と同様な内容についてその説明を省略する。本実施例では、通信システム１００は、ネットワーク装置１０１及び端末装置１０２を含んでもよい。
【０１１９】
ネットワーク装置１０１には、実施例３に記載の参照信号リソースの送信位置の指示装置９００が構成されている。
【０１２０】
端末装置１０２には、実施例３又は４に記載のＣＲＩの報告装置１０００が構成されている。
【０１２１】
本発明の実施例はネットワーク装置をさらに提供する。該ネットワーク装置は基地局であってもよいが、本発明はこれに限定されず、他のネットワーク装置であってもよい。
【０１２２】
図１１は本発明の実施例のネットワーク装置の概略図である。図１１に示すように、ネットワーク装置１１００は、プロセッサ１１１０（例えば中央処理装置（ＣＰＵ））１３０１及びメモリ１１２０を含んでもよく、メモリ１１２０はプロセッサ１１１０に接続される。メモリ１１２０は、各種のデータを記憶してもよいし、情報処理のプログラム１１３０をさらに記憶し、プロセッサ１１１０の制御で該プログラム１１３０を実行する。
【０１２３】
例えば、プロセッサ１１１０は、プログラム１１３０を実行し、実施例１に記載された参照信号リソースの送信位置の指示方法を実現してもよい。例えば、プロセッサ１１１０は、端末装置に第１構成情報を送信するように構成されてもよく、該第１構成情報は、１つ又は複数の時間間隔内で参照信号リソースセットに構成された参照信号リソースを送信することを指示し、ここで、該参照信号リソースは、該１つ又は複数の時間間隔に割り当てられる。
【０１２４】
また、図１１に示すように、ネットワーク装置１１００は、送受信機１１４０及びアンテナ１１５０などをさらに含んでもよい。上記部材の機能は従来技術と類似し、ここでその説明を省略する。なお、ネットワーク装置１１００は図１１に示す全てのユニットを含む必要がない。また、ネットワーク装置１１００は、図１１に示されていないユニットをさらに含んでもよく、従来技術を参照してもよい。
【０１２５】
本発明の実施例は端末装置をさらに提供する。なお、本発明はこれに限定されず、他の装置であってもよい。
【０１２６】
図１２は本発明の実施例の端末装置の概略図である。図１２に示すように、該端末装置１２００は、プロセッサ１２１０及びメモリ１２２０を含んでもよく、メモリ１２２０はプロセッサ１２１０に接続される。なお、該図は単なる例示的なものであり、電気通信機能又は他の機能を実現するように、他の種類の構成を用いて、該構成を補充又は代替してもよい。
【０１２７】
例えば、プロセッサ１２１０は、プログラムを実行して実施例２に記載されたＣＲＩの報告方法を実現するように構成されてもよい。例えば、プロセッサ１２１０は、ネットワーク装置により送信された第１構成情報を受信し、該第１構成情報に基づいて参照信号リソースを選択し、該ネットワーク装置にＣＲＩを報告するように構成されてもよく、該第１構成情報は、１つ又は複数の時間間隔内で参照信号リソースセットに構成された該参照信号リソースを送信することを指示し、該参照信号リソースは、該１つ又は複数の時間間隔に割り当てられる。
【０１２８】
また、図１２に示すように、該端末装置１２００は、通信モジュール１２３０、入力部１２４０、ディスプレイ１２５０、電源１２６０をさらに含んでもよい。ここで、上記部材の機能は従来技術と同様であり、ここでその説明を省略する。なお、端末装置１２００は図１２に示す全てのユニットを含む必要がない。また、端末装置１２００は、図１２に示されていないユニットをさらに含んでもよく、従来技術を参照してもよい。
【０１２９】
本発明の実施例では、コンピュータ読み取り可能なプログラムであって、ネットワーク装置において該プログラムを実行する際に、コンピュータに該ネットワーク装置において上記の実施例１に記載の方法を実行させる、プログラムをさらに提供する。
【０１３０】
本発明の実施例では、コンピュータ読み取り可能なプログラムが記憶されている記憶媒体であって、該プログラムを実行する際に、コンピュータにネットワーク装置において実施例１に記載の方法を実行させる、記憶媒体をさらに提供する。
【０１３１】
本発明の実施例では、コンピュータ読み取り可能なプログラムであって、端末装置において該プログラムを実行する際に、コンピュータに該端末装置において実施例２に記載の方法を実行させる、プログラムをさらに提供する。
【０１３２】
本発明の実施例では、コンピュータ読み取り可能なプログラムが記憶されている記憶媒体であって、該プログラムを実行する際に、コンピュータに端末装置において実施例２に記載の方法を実行させる、記憶媒体をさらに提供する。
【０１３３】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１３４】
本発明の実施例を参照しながら説明した各装置における各処理方法は、ハードウェア、プロセッサにより実行されるソフトウェアモジュール、又は両者の組み合わせで実施されてもよい。例えば、図面に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図面に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１３５】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１３６】
図面に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１３７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【図１】
2021510951.tif 000055
【図２】
2021510951.tif 000056
【図３】
2021510951.tif 000057
【図４】
2021510951.tif 000058
【図５】
2021510951.tif 000059
【図６】
2021510951.tif 000060
【図７】
2021510951.tif 000061
【図８】
2021510951.tif 000062
【図９】
2021510951.tif 000063
【図１０】
2021510951.tif 000064
【図１１】
2021510951.tif 000065
【図１２】
2021510951.tif 000066
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
ネットワーク装置に構成された、参照信号リソースの送信位置の指示装置であって、
端末装置に第１構成情報を送信する第１送信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、第１送信部、を含む、装置。
【請求項２】
前記参照信号リソースは、非周期的チャネル状態情報参照信号リソースであり、
前記時間間隔は、スロット、フレーム、サブフレームのうちの少なくとも１つを含む、請求項１に記載の装置。
【請求項３】
前記第１構成情報は、Ｎビットのビットマップであり、
前記ビットマップのＮビットは、前記参照信号リソースセットの送信をトリガするためのシグナリングが所在する時間間隔から始まる連続的なＮ個の時間間隔を示し、
前記ビットマップで所定値に設定されたビットは、前記所定値に設定されたビットにより示される時間間隔内で前記参照信号リソースセットに構成された少なくとも１つの参照信号リソースを送信することを表す、請求項１に記載の装置。
【請求項４】
前記所定値に設定されたビットにより示される時間間隔内で送信される、前記参照信号リソースセットに構成された参照信号リソースの数は、
（外１）
2021510951.tif 000067
、又は
（外２）
2021510951.tif 000068
及び／若しくは
（外３）
2021510951.tif 000069
であり、
Ｋは、前記参照信号リソースセットに構成された前記参照信号リソースの数であり、Ｎｏｎｅは、前記ビットマップで前記所定値に設定されたビットの数である、請求項３に記載の装置。
【請求項５】
前記端末装置に第２構成情報を送信する第２送信部であって、前記第２構成情報は、ネットワーク装置により構成された前記参照信号リソースセットを指示し、前記第２構成情報は、オフセットをトリガする構成パラメータを含む、第２送信部、をさらに含み、
前記第１構成情報は、前記オフセットをトリガする構成パラメータに対する構成である、請求項３に記載の装置。
【請求項６】
参照信号リソースインジケータ（ＣＲＩ）の報告装置であって、
ネットワーク装置により送信された第１構成情報を受信する受信部であって、前記第１構成情報は、１つ又は複数の時間間隔内で参照信号リソースセットに構成された参照信号リソースを送信することを指示し、前記参照信号リソースは、前記１つ又は複数の時間間隔に割り当てられる、受信部と、
前記第１構成情報に基づいて前記参照信号リソースを選択し、前記ネットワーク装置にＣＲＩを報告する報告部と、を含む、装置。
【請求項７】
前記ネットワーク装置が前記端末装置のためにオプション構成の第１パラメータを構成していない場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外４）
2021510951.tif 000070
ビットであり、
Ｋは、前記参照信号リソースセットに構成された参照信号リソースの数である、請求項６に記載の装置。
【請求項８】
前記ネットワーク装置が前記端末装置のためにオプション構成又は必須構成の第１パラメータを構成し、前記第１パラメータが有効状態（ＯＮ）に構成され、且つ前記参照信号リソースを送信するための時間間隔の数が１よりも大きい場合、前記報告部は、前記参照信号リソースを送信するための異なる前記時間間隔から１つ又は複数の時間間隔の参照信号リソースを選択して参照信号リソースインジケータ（ＣＲＩ）を報告し、
１つの前記参照信号リソースインジケータ（ＣＲＩ）の長さは
（外５）
2021510951.tif 000071
ビットであり、
Ｎｏｎｅは、前記時間間隔の数である、請求項６に記載の装置。
【請求項９】
前記ネットワーク装置が前記端末装置のためにオプション構成の第１パラメータを構成し、前記第１パラメータが無効状態（ＯＦＦ）に構成され、且つ前記参照信号リソースを送信するための前記時間間隔の数が１よりも大きい場合、前記報告部は、１つの前記時間間隔内で送信された前記参照信号リソースから１つ又は複数の参照信号リソースを選択して参照信号リソースインジケータ（ＣＲＩ）を報告し、
１つの前記参照信号リソースインジケータ（ＣＲＩ）の長さは
（外６）
2021510951.tif 000072
ビットであり、
Ｋは、前記参照信号リソースセットに構成された参照信号リソースの数であり、Ｎｏｎｅは、前記時間間隔の数である、請求項６に記載の装置。
【請求項１０】
前記ネットワーク装置が前記端末装置のために必須構成の第１パラメータを構成し、前記第１パラメータが無効状態（ＯＦＦ）に構成されている場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外７）
2021510951.tif 000073
ビットであり、
Ｋは、前記参照信号リソースセットに構成された参照信号リソースの数である、請求項６に記載の装置。
【請求項１１】
前記ネットワーク装置が前記端末装置のためにオプション構成又は必須構成の第１パラメータを構成し、前記第１パラメータが有効状態（ＯＮ）に構成され、且つ前記参照信号リソースを送信するための前記時間間隔の数が１に等しい場合、前記報告部は、前記参照信号リソースインジケータ（ＣＲＩ）を報告しない、請求項６に記載の装置。
【請求項１２】
前記ネットワーク装置が前記端末装置のためにオプション構成又は必須構成の第１パラメータを構成し、前記第１パラメータが無効状態（ＯＦＦ）であり、且つ前記参照信号リソースを送信するための前記時間間隔の数が１に等しい場合、前記報告部は、前記参照信号リソースセットに構成された参照信号リソースから１つ又は複数の参照信号リソースを選択して参照信号リソースインジケータ（ＣＲＩ）を報告し、
１つの前記参照信号リソースインジケータ（ＣＲＩ）の長さは
（外８）
2021510951.tif 000074
ビットであり、
Ｋは、前記参照信号リソースセットに構成された参照信号リソースの数である、請求項６に記載の装置。
【請求項１３】
前記第１パラメータは、上位層構成パラメータｒｅｐｅｔｉｔｉｏｎである、請求項７乃至１２の何れかに記載の装置。
【請求項１４】
ネットワーク装置が前記端末装置のために第２パラメータを構成し、前記第２パラメータが有効状態（ＯＮ）であり、且つ前記ネットワーク装置が複数のダウンリンク空間領域送信フィルタグループを用いて前記参照信号リソースを送信することが前記第２パラメータにより示され、前記第２パラメータが前記参照信号リソースセットに関連付けられている（ｌｉｎｋ）場合、前記報告部は、前記第１構成情報に基づいて複数の前記参照信号リソースインジケータ（ＣＲＩ）を報告する、請求項６に記載の装置。
【請求項１５】
ネットワーク装置が前記端末装置のために第１パラメータを構成し、且つ前記第１パラメータが有効状態（ＯＮ）に構成されている場合、前記報告部は、前記参照信号リソースインジケータ（ＣＲＩ）を報告しない、請求項１４に記載の装置。
【請求項１６】
ネットワーク装置が前記端末装置のために第１パラメータを構成し、且つ前記第１パラメータが無効状態（ＯＦＦ）に構成されている場合、前記端末装置は、１つの時間間隔内で、前記参照信号リソースを送信するための１つのダウンリンク空間領域送信フィルタグループのダウンリンク空間領域送信フィルタが異なり、前記参照信号リソースを送信するための他のダウンリンク空間領域送信フィルタグループのダウンリンク空間領域送信フィルタが何れも同一であり、異なる時間間隔の間で、前記１つのダウンリンク空間領域送信フィルタグループのダウンリンク空間領域送信フィルタが何れも同一であり、前記他のダウンリンク空間領域送信フィルタグループのダウンリンク空間領域送信フィルタが異なると判断し、前記報告部は、前記１つのダウンリンク空間領域送信フィルタグループ及び前記他のダウンリンク空間領域送信フィルタグループについて１つ又は複数の前記参照信号リソースインジケータ（ＣＲＩ）をそれぞれ報告し、
少なくとも１つの前記参照信号リソースインジケータ（ＣＲＩ）の長さは
（外９）
2021510951.tif 000075
ビットであり、
少なくとも１つの前記参照信号リソースインジケータ（ＣＲＩ）の長さは
（外１０）
2021510951.tif 000076
ビットであり、
Ｋは、前記参照信号リソースセットに構成された参照信号リソースの数であり、Ｎｏｎｅは、前記時間間隔の数である、請求項１４に記載の装置。
【請求項１７】
前記第２パラメータは、他の参照信号リソースセットにさらに関連付けられ（ｌｉｎｋ）、
前記ネットワーク装置は、異なるダウンリンク空間領域送信フィルタグループを用いて、異なる前記参照信号リソースセットに構成された参照信号リソースを送信し、
前記第２パラメータに関連付けられた全ての参照信号リソースセットのために前記ネットワーク装置により構成された第１パラメータが何れも有効状態（ＯＮ）に構成されている場合、前記報告部は、前記参照信号リソースインジケータ（ＣＲＩ）を報告しない、請求項１４に記載の装置。
【請求項１８】
前記第２パラメータは、他の参照信号リソースセットにさらに関連付けられ（ｌｉｎｋ）、
前記第２パラメータに関連付けられた全ての参照信号リソースセットのためにネットワーク装置により構成された第１パラメータのうち、少なくとも１つの参照信号リソースセットの第１パラメータが有効状態（ＯＮ）に構成され、少なくとも１つの参照信号リソースセットの第１パラメータが無効状態（ＯＦＦ）に構成されている場合、前記報告部は、各参照信号リソースセットについて前記参照信号リソースインジケータ（ＣＲＩ）をそれぞれ報告する、請求項１４に記載の装置。
【請求項１９】
第１パラメータが有効状態（ＯＮ）に構成されている参照信号リソースセットについて、前記報告部は、前記有効状態（ＯＮ）に構成されている参照信号リソースセットにおける異なる時間間隔内で送信された１つ又は複数の参照信号リソースを選択して前記参照信号リソースインジケータ（ＣＲＩ）を報告し、１つの前記参照信号リソースインジケータ（ＣＲＩ）の長さは
（外１１）
2021510951.tif 000077
ビットであり、Ｎｏｎｅは、前記時間間隔の数であり、
第１パラメータが無効状態（ＯＦＦ）に構成されている参照信号リソースセットについて、前記報告部は、前記無効状態（ＯＦＦ）に構成されている参照信号リソースセットにおける同一の時間間隔内で送信された１つ又は複数の参照信号リソースを選択して前記参照信号リソースインジケータ（ＣＲＩ）を報告し、１つの前記参照信号リソースインジケータ（ＣＲＩ）の長さは
（外１２）
2021510951.tif 000078
ビットであり、Ｋは、前記参照信号リソースセットに構成された参照信号リソースの数であり、Ｎｏｎｅは、前記時間間隔の数である、請求項１８に記載の装置。
【請求項２０】
前記第２パラメータは、上位層構成パラメータｇｒｏｕｐＢａｓｅｄＢｅａｍＲｅｐｏｒｔｉｎｇである、請求項１４乃至１９の何れかに記載の装置。

【手続補正２】
【補正対象書類名】明細書
【補正対象項目名】００４８
【補正方法】変更
【補正の内容】
【００４８】
本実施例の方法によれば、ネットワーク装置が端末装置に第１構成情報を送信し、該第１構成情報は、１つ又は複数の時間間隔内で参照信号リソースセットに構成された参照信号リソースを送信することを指示し、該参照信号リソースは、該１つ又は複数の時間間隔に割り当てられる。これによって、１回の測定に必要な非周期的参照信号リソースの数が多い場合、１つの参照信号リソースセットにおける参照信号リソースを複数の時間間隔内で送信するように指示することができる。また、端末装置は、ネットワーク装置の構成に基づいて適切な参照信号リソースを選択し、ネットワーク装置に参照信号リソースインジケータ（ＣＲＩ：ＣＳＩ−ＲＳ  ｒｅｓｏｕｒｃｅ  ｉｎｄｉｃａｔｏｒ）を報告することができる。

【手続補正３】
【補正対象書類名】明細書
【補正対象項目名】００７６
【補正方法】変更
【補正の内容】
【００７６】
図７を一例にして説明する。図７の例では、非周期的ＣＳＩ−ＲＳリソースセット１は９個のＣＳＩ−ＲＳリソースを含み、即ちＫ＝９となり、この９個のＣＳＩ−ＲＳリソースは、３つのスロット（第１スロット、第２スロット及び第３スロット）に分散されて送信され、即ちＮｏｎｅ＝３となる。第１スロットでは、ビームグループ１における３つのビームが同一であり、ビームグループ２における３つのビームが異なる。第２スロットでは、ビームグループ１における３つのビームが同一であるが、第１スロットのビームグループ１における３つのビームと異なり、ビームグループ２における３つのビームが異なるが、第１スロットのビームグループ２における３つのビームとそれぞれ同一である。第３スロットでは、ビームグループ１における３つのビームが同一であるが、第１スロット及び第２スロットのビームグループ１における３つのビームと異なり、ビームグループ２における３つのビームが異なるが、第１スロット及び第２スロットのビームグループ２における３つのビームとそれぞれ同一である。この場合、端末装置は、各ビームグループについて１つ又は複数のＣＲＩを報告する。ここで、少なくとも１つのＣＲＩの長さは
（外２３）
2021510951.tif 000079
ビットであり、少なくとも１つのＣＲＩの長さは
（外２４）
2021510951.tif 000080
ビットである。

【手続補正４】
【補正対象書類名】明細書
【補正対象項目名】００８４
【補正方法】変更
【補正の内容】
【００８４】
図８を一例にして説明する。図８の例では、第２パラメータに関連付けられている非周期的ＣＳＩ−ＲＳリソースセットが２つあり、即ちリソースセット１及びリソースセット２であり、リソースセット１はビームグループ１のために用いられ、リソースセット２はビームグループ２のために用いられる。リソースセット１及びリソースセット２はそれぞれ９個のＣＳＩ−ＲＳリソースを含み、即ちＫ＝９となり、この９個のＣＳＩ−ＲＳリソースは、３つのスロット（第１スロット、第２スロット及び第３スロット）に分散されて送信され、即ちＮｏｎｅ＝３となる。第１スロットでは、ビームグループ１における３つのビームが同一であり、ビームグループ２における３つのビームが異なる。第２スロットでは、ビームグループ１における３つのビームが同一であるが、第１スロットのビームグループ１における３つのビームと異なり、ビームグループ２における３つのビームが異なるが、第１スロットのビームグループ２における３つのビームとそれぞれ同一である。第３スロットでは、ビームグループ１における３つのビームが同一であるが、第１スロット及び第２スロットのビームグループ１における３つのビームと異なり、ビームグループ２における３つのビームが異なるが、第１スロット及び第２スロットのビームグループ２における３つのビームとそれぞれ同一である。この場合、第１パラメータがＯＮに構成されているリソースセット、例えばリソースセット１について、端末装置は、リソースセット１における異なるスロット内で送信された１つ又は複数の参照信号リソースを選択してＣＲＩを報告する。ここで、１つのＣＲＩの長さは
（外２７）
2021510951.tif 000081
ビットである。第１パラメータがＯＦＦに構成されているリソースセット、例えばリソースセット２について、端末装置は、リソースセット２における同一のスロット内で送信された１つ又は複数の参照信号リソースを選択してＣＲＩを報告する。ここで、１つのＣＲＩの長さは
（外２８）
2021510951.tif 000082
ビットである。

【手続補正５】
【補正対象書類名】明細書
【補正対象項目名】０１００
【補正方法】変更
【補正の内容】
【０１００】
図１０は本発明の実施例のＣＲＩの報告装置の概略図である。図１０に示すように、ＣＲＩの報告装置１０００は、受信部１００１及び報告部１００２を含む。

【手続補正６】
【補正対象書類名】明細書
【補正対象項目名】０１１２
【補正方法】変更
【補正の内容】
【０１１２】
この態様では、該第２パラメータは、他の参照信号リソースセットにさらに関連付けられ（ｌｉｎｋ）、該ネットワーク装置は、異なるダウンリンク空間領域送信フィルタグループを用いて、異なる該参照信号リソースセットに構成された参照信号リソースを送信する。該第２パラメータに関連付けられた全ての参照信号リソースセットのために該ネットワーク装置により構成された第１パラメータが何れも有効状態（ＯＮ）に構成されている場合、該端末装置は、ネットワーク装置が該参照信号リソースを送信する際に用いられる各ダウンリンク空間領域送信フィルタグループにおける同一のグループ内のダウンリンク空間領域送信フィルタが何れも同一であると判断する。この場合、報告部１００２は、該参照信号リソースインジケータ（ＣＲＩ）を報告しない。

【手続補正７】
【補正対象書類名】明細書
【補正対象項目名】０１１３
【補正方法】変更
【補正の内容】
【０１１３】
この態様では、該第２パラメータは、他の参照信号リソースセットにさらに関連付けられ（ｌｉｎｋ）、該第２パラメータに関連付けられた全ての参照信号リソースセットのためにネットワーク装置により構成された第１パラメータのうち、少なくとも１つの参照信号リソースセットの第１パラメータが有効状態（ＯＮ）に構成され、少なくとも１つの参照信号リソースセットの第１パラメータが無効状態（ＯＦＦ）に構成されている場合、報告部１００２は、各参照信号リソースセットについて該参照信号リソースインジケータ（ＣＲＩ）をそれぞれ報告する。
【国際調査報告】
2021510951.tif 000083
2021510951.tif 000084
2021510951.tif 000085
2021510951.tif 000086